(57)【要約】【課題】構成要素を従来構成よりも少なく抑えることのできるスイッチ装置を提供する。【解決手段】複数のスイッチ２と、スイッチ２ごとにアドレスを記憶するアドレスメモリと、アドレスメモリに記憶されるアドレスを設定するアドレス設定手段１９とをハウジング３に備える。アドレス設定手段１９は、ハウジング３の前面に設けられアドレスを表示する表示器１２と、アドレスを選択する際に操作されるモーメンタリ型の選択スイッチと、アドレスを決定する際に操作される決定スイッチと、通常モードおよびアドレス設定モードの２つの動作モードを切り替えるモード切替スイッチ１３とを有し、選択スイッチが操作される度に表示器１２に表示するアドレスを順次切り替え、決定スイッチが操作されると表示器１２に表示中のアドレスをアドレスメモリに記憶する。スイッチ２は、アドレス設定モードにおいては選択スイッチに兼用される。【選択図】図１
2008271437.tif 000002
【特許請求の範囲】
【請求項１】
スイッチを有した監視端末器と、前記スイッチのオンオフ情報を含む伝送信号が信号線を通して伝送されることによりスイッチのオンオフに応じて負荷を制御する制御端末器と、監視端末器のスイッチと制御端末器に制御される負荷とをそれぞれのアドレスにより対応付ける制御テーブルを有し監視端末器からの伝送信号を制御テーブルで対応付けた制御端末器に伝送することにより負荷の遠隔制御を可能とする伝送ユニットとを備える遠隔監視制御システムに、監視端末器として用いられるスイッチ装置であって、少なくとも１つの前記スイッチと、スイッチごとにアドレスを記憶するアドレスメモリと、アドレスメモリに記憶されるアドレスを設定するアドレス設定手段とをハウジングに備え、アドレス設定手段は、ハウジングの前面に設けられアドレスを表示する表示器と、アドレスを選択する際に操作されるモーメンタリ型の選択スイッチと、アドレスを決定する際に操作される決定スイッチと、前記スイッチの操作に応じて制御端末器に伝送信号が伝送される通常モード、およびアドレスを設定するアドレス設定モードの２つの動作モードを切り替えるモード切替スイッチとを有し、選択スイッチが操作される度に表示器に表示するアドレスを順次切り替え、決定スイッチが操作されると表示器に表示中のアドレスをアドレスメモリに記憶し、前記スイッチは、アドレス設定モードにおいては選択スイッチに兼用されることを特徴とするスイッチ装置。
【請求項２】
前記アドレス設定手段は、前記アドレス設定モードにおいて前記スイッチが操作されない期間が所定の無操作時間に亘り継続すると、動作モードを前記通常モードに自動的に切り替えるモード復帰機能を有することを特徴とする請求項１記載のスイッチ装置。
【請求項３】
前記アドレス設定手段は、前記選択スイッチが所定の長押時間に亘り継続して操作されると、前記表示器に表示するアドレスを早送りで順次切り替える早送機能を有することを特徴とする請求項１または請求項２に記載のスイッチ装置。
【発明の詳細な説明】
【技術分野】
【０００１】
本発明は、監視端末器のスイッチと制御端末器に制御される負荷とをそれぞれのアドレスにより対応付ける制御テーブルを有し監視端末器からの伝送信号を制御テーブルで対応付けた制御端末器に伝送することにより負荷の遠隔制御を可能とする伝送ユニットを備える遠隔監視制御システムに監視端末器として用いられるスイッチ装置に関するものである。
【背景技術】
【０００２】
従来から、負荷の遠隔監視制御を行うために信号線を通してスイッチのオンオフ情報を含む伝送信号を伝送し、負荷の電源を入切するリレーを伝送信号によって開閉させる技術が知られている。
【０００３】
この種の遠隔監視制御システムとしては、スイッチを有する監視端末器と、負荷への電源を入切するリレーを有する制御端末器とを端末装置として備え、伝送ユニットをセンタ装置として備えた集中制御型のものがある。監視端末器および制御端末器はそれぞれ複数台ずつ設けられていてもよい。伝送ユニットと監視端末器と制御端末器とは２線式の信号線に接続されており、監視端末器および制御端末器に個別に設定されている端末アドレスを用いて伝送ユニットが監視端末器および制御端末器を各別に認識する。
【０００４】
伝送ユニットは、監視端末器と制御端末器とを端末アドレスによって対応付けたデータテーブルである制御テーブルを格納したメモリを備えており、いずれかの監視端末器におけるスイッチのオンオフ情報が伝送信号（時分割多重伝送信号を用いている）を用いて伝送ユニットに通知されると、制御テーブルによって当該監視端末器に対応付けられている制御端末器に対して伝送信号を用いてリレーを開閉する指示を伝送し、この指示を受けた制御端末器においてリレーが開閉される。リレーを開閉する指示はスイッチのオンオフ情報を反映しているから、監視端末器と制御端末器との間に伝送ユニットが介在しているものの、スイッチのオンオフ情報を含む伝送信号が信号線を通して伝送されることによりスイッチのオンオフがリレーの開閉に反映されることになる。
【０００５】
ところで、一般的には各監視端末器はそれぞれ複数回路のスイッチを有し、また各制御端末器にはそれぞれ複数回路の負荷が接続される。伝送ユニットに設けた制御テーブルではスイッチおよび負荷の回路別に対応付けが可能になっている。つまり、たとえば監視端末器が複数のスイッチを有する場合、監視端末器に固有の端末アドレスだけでは、当該監視端末器に設けられたスイッチが全て該当することになり、実際に操作された唯一のスイッチを特定することはできない。そこで、各監視端末器においては、それぞれスイッチごとに操作番号を割り振り、各監視端末器の端末アドレスの後に操作番号を付加したものをスイッチのアドレスとして用いることによって、実際に操作された唯一のスイッチを特定できるようにしてある。同様に、制御端末器においては負荷ごとに負荷番号を割り振り、各制御端末器の端末アドレスの後に負荷番号を付加したものを負荷のアドレスとする。なお、１台の制御端末器に接続される複数の負荷で１つの負荷回路を構成してもよく、この場合には各制御端末器の端末アドレスが負荷のアドレスとして用いられる。
【０００６】
また、制御テーブルでは、スイッチと負荷とを一対一に結びつけるほか、一対多に結びつけることも可能になっている。たとえば、リレーを用いて負荷としての照明器具への電源を入切するとすれば、伝送ユニットでは、１個のスイッチで１回路の照明器具の点灯と消灯とを行う個別制御と、１個のスイッチで複数回路の照明器具の点灯と消灯とを一括して行う一括制御との設定が可能になっている。一括制御としては、制御対象となる負荷の範囲をスイッチに対応付けておき、１個のスイッチの操作によって当該範囲の負荷を一括してオンまたはオフにするグループ制御と、制御対象となる負荷のアドレスの範囲と各アドレスに対応する負荷の制御状態（オンまたはオフ）とをスイッチに対応付けておき、１個のスイッチの操作によって当該範囲の負荷をそれぞれオンまたはオフにするパターン制御とがある。
【０００７】
上述の遠隔監視制御システムでは、伝送ユニットが伝送信号を信号線に定期的に送出しており、伝送信号としてはたとえば±２４Ｖの双極性のパルス幅変調信号が用いられる。監視端末器および制御端末器では、この伝送信号を全波整流することによって内部電源を確保している。また、伝送ユニットには商用電源によって電源が供給されている。
【０００８】
以下に、上述の遠隔監視制御システムの動作について簡単に説明する。
【０００９】
伝送ユニットでは、常時は端末アドレスをサイクリックに変更した伝送信号を周期的に信号線に送出する常時ポーリングを行っている。伝送信号には、信号送出開始を示すスタートパルス、信号モードを示すモードデータ、監視端末器や制御端末器を各別に呼び出すための端末アドレスを伝送するアドレスデータ、負荷を制御するための制御データを伝送する制御データ（操作番号、負荷番号を含む）、伝送エラーを検出するためのチェックサムデータ、監視端末器や制御端末器からの返送信号を受信するタイムスロットである信号返送期間を含む双極性の信号を用いている。
【００１０】
いずれかの監視端末器においてスイッチの操作による監視入力が発生すると、監視端末器は伝送信号のスタートパルスに同期する割込信号を信号線に送出する。割込信号を発生した監視端末器は割込フラグを設定したラッチ状態になる。一方、伝送ユニットは割込信号を検出すると、モードデータをサーチモードとした伝送信号を送出する。ラッチ状態になっている監視端末器は、サーチモードの伝送信号を受信すると信号返送期間において端末アドレスを返送し、端末アドレスを受け取った伝送ユニットは、当該端末アドレスの監視端末器にラッチ状態の返送を要求する伝送信号を伝送し、ラッチ状態か否かを確認することによって割込信号を発生した監視端末器であることを確認する。割込信号を発生した監視端末器であることが確認されると、ラッチ状態を解除させる伝送信号を伝送し、当該監視端末器のラッチ状態を解除させる。
【００１１】
伝送ユニットは、上述の動作によって監視端末器からの要求を受け取ると、制御テーブルに従って当該監視端末器に対応付けられた制御端末器に対して負荷の制御を要求する。次に、制御対象である制御端末器に設けたリレーの動作状態を確認するための伝送信号を送出し、制御端末器からリレーの動作状態を返送させる。制御端末器から受け取ったリレーの動作状態は、伝送ユニットにおいて確認され、リレーの現状の動作状態がオフであれば動作状態をオンに反転させる内容の伝送信号をスイッチの操作があった監視端末器に送信するとともに、制御端末器にも同内容の伝送信号を送信する。なお、制御端末器を制御する内容の伝送信号を監視端末器にも伝送しているのは、監視端末器に設けたオンオフ表示用の表示灯などの表示状態に反映させるためである。動作状態を指示する伝送信号を受け取った制御端末器は、受信確認を返送する。
【００１２】
以上説明した遠隔監視制御システムでは、監視端末器における１つのスイッチが操作されると、伝送ユニットにおいてこのスイッチのアドレス（端末アドレス＋操作番号）が制御テーブルで照合され、スイッチとの対応関係が設定されている負荷に接続された制御端末器に対して、負荷の制御を指示する伝送信号が伝送ユニットから伝送される。このような動作によって、スイッチのオンオフ情報を負荷の制御に反映させることができる。
【００１３】
ところで、上述した遠隔監視制御システムに監視端末器として用いられるスイッチ装置は、少なくとも１つの前記スイッチと、スイッチごとに設定されるアドレス（端末アドレス＋操作番号）を記憶するアドレスメモリとをハウジングに備えている。アドレスメモリへのアドレスの設定は、たとえばスイッチ装置とは別体の専用のアドレス設定器を用いて行われる。この例では、スイッチ装置にアドレスを設定する際に、アドレス設定器にて設定されたアドレスを、有線あるいは赤外線通信などによりスイッチ装置に転送し、アドレスメモリにアドレスを記憶する。
【００１４】
しかしながら、専用のアドレス設定器を用いてアドレスを設定するようにした場合、スイッチ装置単体では設定されたアドレスを確認する手段を持たないので、操作端末器や制御端末器のレイアウト変更時などに、アドレス設定器を用いてスイッチ装置に設定されたアドレスを確認する必要があり、アドレスの確認作業が面倒である。また、アドレス設定器は、アドレスの設定時以外には特に使用されないため、遠隔監視制御システムの管理者によって保管されるが、万一、保管中に紛失すれば、アドレスの変更が必要になった際にアドレス設定器を再度購入することが必要となり、管理者にとって負担となる。
【００１５】
そこで、専用のアドレス設定器を用いることなくアドレスを設定することができるように、アドレスメモリに記憶されるアドレスを設定するアドレス設定手段をスイッチ装置のハウジングに付加したものが提案されている（たとえば特許文献１参照）。アドレス設定手段としては、たとえばディップスイッチを複数有し各ディップスイッチのオンオフ状態の組み合わせにより２進数でアドレス設定を行うもの、ロータリスイッチを有しロータリスイッチの回転位置により１０進数でアドレス設定を行うものがある。
【特許文献１】特開２００６−９４４５２号公報
【発明の開示】
【発明が解決しようとする課題】
【００１６】
しかし、上記構成のアドレス設定手段では、遠隔監視制御システム内で使用されるアドレス数が多くなると、その分だけ選択可能なアドレス数を増やす必要が生じ、アドレス設定手段の構成要素（ディップスイッチ、ロータリースイッチ）が増加する。特に、１つのハウジングにスイッチを複数有する場合、スイッチごとに個別のアドレス設定手段を設けることはハウジングの寸法の制限などから困難になる。そのため、ハウジングには端末アドレスのみを設定可能なアドレス設定手段を設け、操作番号に関しては変更できないように製造時に予め割り振られることが多い。なお、ディップスイッチを用いた方式では２進数でアドレスが設定されるから、１０進数でアドレスが設定される場合に比べて、遠隔監視制御システムの管理者等にとってアドレスが理解しにくく、アドレスの見分けがつきにくいという問題もある。
【００１７】
これに対して、アドレスを１０進数の２桁でディジタル表示する７セグメントの表示器と、アップキーおよびダウンキーからなり表示器に表示されるアドレスを選択する選択スイッチとをアドレス設定手段として前記スイッチごとに付加し、選択スイッチの操作により選択された表示器に表示中のアドレスを、スイッチごとのアドレスとして用いることが考えられている。しかし、この構成では、スイッチごとに表示器および選択スイッチが付加されるので、スイッチ装置の構成要素が大幅に増加し、スイッチ装置の小型化、低コスト化の妨げになる。
【００１８】
本発明は上記事由に鑑みて為されたものであって、専用のアドレス設定器を用いることなくアドレスを設定することができ、しかも、選択可能なアドレス数が増えてもアドレス設定手段の構成要素を増やすことなく任意のアドレスが設定可能であって、且つ構成要素を従来構成よりも少なく抑えることのできるスイッチ装置を提供することを目的とする。
【課題を解決するための手段】
【００１９】
請求項１の発明は、スイッチを有した監視端末器と、前記スイッチのオンオフ情報を含む伝送信号が信号線を通して伝送されることによりスイッチのオンオフに応じて負荷を制御する制御端末器と、監視端末器のスイッチと制御端末器に制御される負荷とをそれぞれのアドレスにより対応付ける制御テーブルを有し監視端末器からの伝送信号を制御テーブルで対応付けた制御端末器に伝送することにより負荷の遠隔制御を可能とする伝送ユニットとを備える遠隔監視制御システムに、監視端末器として用いられるスイッチ装置であって、少なくとも１つの前記スイッチと、スイッチごとにアドレスを記憶するアドレスメモリと、アドレスメモリに記憶されるアドレスを設定するアドレス設定手段とをハウジングに備え、アドレス設定手段が、ハウジングの前面に設けられアドレスを表示する表示器と、アドレスを選択する際に操作されるモーメンタリ型の選択スイッチと、アドレスを決定する際に操作される決定スイッチと、前記スイッチの操作に応じて制御端末器に伝送信号が伝送される通常モード、およびアドレスを設定するアドレス設定モードの２つの動作モードを切り替えるモード切替スイッチとを有し、選択スイッチが操作される度に表示器に表示するアドレスを順次切り替え、決定スイッチが操作されると表示器に表示中のアドレスをアドレスメモリに記憶し、前記スイッチが、アドレス設定モードにおいては選択スイッチに兼用されることを特徴とする。
【００２０】
この構成によれば、アドレス設定手段は、選択スイッチが操作される度に表示器に表示するアドレスを順次切り替え、決定スイッチが操作されると表示器に表示中のアドレスをアドレスメモリに記憶するので、専用のアドレス設定器を用いることなくアドレスを設定することができる。また、表示器に順次表示されるアドレスから所望のアドレスを選択するので、選択可能なアドレス数が増えてもアドレス設定手段の構成要素を増やすことなく任意のアドレスが設定可能である。したがって、複数のスイッチをハウジングに備える場合でも、スイッチごとに任意のアドレスを設定することが可能である。さらに、スイッチを選択スイッチに兼用しているので、スイッチと別に選択スイッチを設ける場合に比べて、スイッチ装置の構成要素を少なくすることができるという利点がある。
【００２１】
請求項２の発明は、請求項１の発明において、前記アドレス設定手段が、前記アドレス設定モードにおいて前記スイッチが操作されない期間が所定の無操作時間に亘り継続すると、動作モードを前記通常モードに自動的に切り替えるモード復帰機能を有することを特徴とする。
【００２２】
この構成によれば、アドレス設定モードにおいてスイッチが操作されない期間が無操作時間に亘り継続すると、動作モードが自動的に通常モードに切り替わるので、スイッチ装置がアドレス設定モードで放置されると、無操作時間後には通常モードに切り替わることになる。したがって、スイッチ装置がアドレス設定モードで放置された場合、負荷を制御する目的でスイッチが操作されることにより誤ってアドレスが変更されてしまう可能性を低減することができる。
【００２３】
請求項３の発明は、請求項１または請求項２の発明において、前記アドレス設定手段が、前記選択スイッチが所定の長押時間に亘り継続して操作されると、前記表示器に表示するアドレスを早送りで順次切り替える早送機能を有することを特徴とする。
【００２４】
この構成によれば、選択可能なアドレス数が多数であっても、選択スイッチの長押しにより表示器に表示するアドレスを早送りで切り替えることができるので、アドレス設定作業の効率を高めることができる。また、アドレスを早送りで切り替えるための専用スイッチを選択スイッチと別に設ける場合に比べて、スイッチ装置の構成要素を少なくすることができる。
【発明の効果】
【００２５】
本発明は、選択スイッチが操作される度に表示器に表示するアドレスを順次切り替え、決定スイッチが操作されると表示器に表示中のアドレスをアドレスメモリに記憶するので、専用のアドレス設定器を用いることなくアドレスを設定することができ、また、選択可能なアドレス数が増えてもアドレス設定手段の構成要素を増やすことなく任意のアドレスが設定可能になるという効果がある。さらに、スイッチを選択スイッチに兼用しているので、スイッチ装置の構成要素を従来構成よりも少なく抑えることができる。
【発明を実施するための最良の形態】
【００２６】
以下の実施形態において説明するスイッチ装置１は、図２に示す遠隔監視制御システムに監視端末器として用いられるものである。この遠隔監視制御システムの基本構成は背景技術の欄で説明した遠隔監視制御システムと同様であるが、図２の例では、背景技術の欄で説明した遠隔監視制御システムの構成要素のうち伝送ユニットとしての機能と制御端末器としての機能とを一体に有する親器２１を用いている。
【００２７】
この親器２１は、負荷Ｌ１〜Ｌ８の電源を入切するリレーＲｙと、リレーＲｙが着脱可能に接続される本体ユニット２２とを備える。さらに、親器２１は伝送ユニットの機能を内蔵しているから、２線式の信号線（図示せず）を用いて監視端末器としてのスイッチ装置１を接続することにより、スイッチ装置１に設けたスイッチ２（図１参照）の操作をリレーＲｙの入切に反映させることができる。また、親器２１の本体ユニット２２に装着可能なリレーＲｙの回路数は限られており（ここでは最大８回路）、さらに多くの負荷回路を制御対象とする場合には、制御端末器としての子器（図示せず）を親器２１に対して信号線で接続し、スイッチ装置１に設けたスイッチ２の操作を子器のリレーＲｙの入切に反映させればよい。なお、親器２１はリレーＲｙを内部処理で制御することができるので、伝送ユニットから制御端末器への伝送信号は信号線を介さずに伝送されることとなる。ただし、信号線を介さない場合でも子器と等価に扱うためには制御端末器のアドレスに相当する情報を用いる必要があるから、親器２１に設けた各リレーＲｙは制御テーブルを用いてスイッチ２と対応付けられる。
【００２８】
ここでは、親器２１に接続可能な子器は最大で１０台であって、各子器にはそれぞれ最大４回路のリレーＲｙが設けられるものとする。要するに、下記実施形態のスイッチ装置１を用いる遠隔監視制御システムには最大で４８回路のリレーＲｙが接続されることになる。そこで、リレーＲｙにアドレスとして１〜４８の番号が割り振られるものと仮定し、スイッチ装置１のスイッチ２にもアドレスとして１〜４８の番号を割り振ることにより、同じ番号のリレーＲｙおよびスイッチ２が制御テーブルで対応付けられるものとする。さらに、スイッチ２には１〜４８の番号の他に、遠隔監視制御システム内の全てのリレーＲｙを一括してオフする一括オフ、および一括してオンする一括オンのパターン制御を行うためのアドレスを割り当てることもできるものとする。つまり、一括オフのためのアドレスが割り当てられたスイッチ２を押操作すれば、遠隔監視制御システム内のリレーＲｙは全てオフとなる。
【００２９】
（実施形態）
本実施形態のスイッチ装置１は、図１に示すように複数（ここでは３つ）のスイッチ２を１つのハウジング３に備えている。ハウジング３は、直方体状に形成されており、図１の上下両端面から一対の取付片４が突設されている。両取付片４は、図１の左右各端部同士が連結されて矩形枠状の枠体５を形成する。以下では、図１の上下左右を上下左右として説明する。
【００３０】
枠体５は、埋込形の配線器具を壁面等の施工面（図示せず）に取り付ける際に用いる取付枠と同様の機能を有するものであって、スイッチ装置１は、施工面に形成された施工孔（図示せず）にハウジング３の後部を埋め込む形で施工孔の周囲の施工面に取付片４の背面を当接させて固定される。取付片４には、施工面に埋設された埋込ボックスにスイッチ装置１を取り付けるためのボックスねじ（図示せず）を挿通する長孔６が貫設されている。長孔６の両側には、施工面を構成する壁パネル等の造営材（図示せず）を取付片４との間に挟持する周知の挟み金具（図示せず）の一部を係止させる挟み金具用孔７が貫設されている。ここに、ハウジング３は、埋込形の配線器具用に規格化された一連の取付枠に３個まで取付可能な単位寸法の配線器具を幅方向に３個並べた寸法（３個モジュール寸法）と略同じ寸法に形成されており、前面を露出させるように施工面に配設される。
【００３１】
スイッチ装置１の前面のうち枠体５に囲まれた部分は、スイッチ２の操作時に押操作される操作子８が配設された機能面９を構成する。スイッチ２の操作子８は上下方向に並んでいる。機能面９には、スイッチ２の操作子８の他に、各スイッチ２にそれぞれ対応するリレーＲｙの入切状態を表示する表示灯１１、後述するアドレス設定時に使用される表示器１２およびモード切替スイッチ１３が設けられている。表示灯１１は、たとえばリレーＲｙがオンの状態（つまり負荷に通電している状態）では赤色に点灯し、リレーＲｙがオフの状態（つまり負荷に通電していない状態）では緑色に点灯する。
【００３２】
また、スイッチ装置１は、機能面９を覆うようにハウジング３に取り付けられるスイッチハンドル１４を備えている。図１では、スイッチハンドル１４をハウジング３から取り外した状態を示している。スイッチハンドル１４は、各スイッチ２の操作子８に対応付けて上下方向に複数等分（ここでは３等分）された操作パネル１５と、これら操作パネル１５の左端部同士を連結する上下方向に長い連結片１６とを有し、背面に設けた係合爪（図示せず）をハウジング３に係合させることによりハウジング３に取り付けられる。各操作パネル１５は、それぞれ後方（ハウジング３側）に押し込み可能となるように連結片１６に支持されており、スイッチハンドル１４をハウジング３に取り付けた状態で後方に押し込まれると、背面に突設されている当接台（図示せず）でそれぞれ対応するスイッチ２の操作子８を押操作する。スイッチハンドル１４は、スイッチ装置１を負荷Ｌ１〜Ｌ８の制御に用いる通常時にはハウジング３に取り付けられ、スイッチ２の操作面を大きくして優れた操作性を実現する。連結片１６において各表示灯１１に対応する位置にはそれぞれ表示窓１７が設けられており、スイッチハンドル１４を取り付けた状態でも表示窓１７を通して表示灯１１を前方から視認できるようにしてある。なお、ハウジング３の前面において、スイッチハンドル１４の周囲には化粧プレート１８（図２参照）が取り付けられる。
【００３３】
ところで、本実施形態のスイッチ装置１は、遠隔監視制御システムに監視端末器として使用される際に用いられるアドレスをスイッチ２ごとに記憶するアドレスメモリ（図示せず）と、アドレスメモリに記憶されるアドレスを設定するアドレス設定手段１９とをハウジング３に備えている。
【００３４】
アドレス設定手段１９は、アドレスを表示する表示器１２と、スイッチ装置１の動作モードを切り替えるモード切替スイッチ１３と、アドレスを選択する際に操作される選択スイッチと、アドレスを決定する際に操作される決定スイッチとをハウジング３の機能面９に有している。ここにおいて、前記スイッチ２は選択スイッチに兼用され、モード切替スイッチ１３は決定スイッチに兼用される。表示器１２はスイッチ２ごとにそれぞれ対応付けて設けられているが、決定スイッチ（モード切替スイッチ１３）はハウジング３に１つのみ設けられる。
【００３５】
選択スイッチ（スイッチ２）および決定スイッチ（モード切替スイッチ１３）はいずれも、押操作されている間のみ接点がオンするモーメンタリ型の押釦スイッチからなる。モード切替スイッチ１３は、スイッチ２の操作に応じて制御端末器に伝送信号が伝送される通常モードと、アドレスを設定するアドレス設定モードとの２種類の動作モードを押操作される度に交互に切り替える。モード切替スイッチ１３は、ハウジング３にスイッチハンドル１４が取り付けられた状態でスイッチハンドル１４に覆われる位置に設けられる。これにより、スイッチ装置１を負荷Ｌ１〜Ｌ８の制御に用いる通常時には、モード切替スイッチ１３はスイッチハンドル１４に覆われることで操作することができず、誤ってモード切替スイッチ１３が操作されてアドレス設定モードに移行することが防止される。言い換えれば、ハウジング３からスイッチハンドル１４を取り外した状態でのみ動作モードをアドレス設定モードに移行させることができ、ハウジング３にスイッチハンドル１４を取り付けた状態ではスイッチ装置１は通常モードで動作する。
【００３６】
表示器１２には一例として２桁の７セグメントの液晶表示器を用いている。また、ハウジング３の機能面９において各表示器１２の周囲には、それぞれ表示器１２とスイッチ２との対応関係を示す対応関係表示部２０が設けられている。対応関係表示部２０は、破線により各表示器１２を包囲するとともに一部が対応するスイッチ２を指し示す形に描かれている。なお、アドレス設定モードにおいて表示灯１１を通常モードとは異なる点灯状態（ここでは赤色点滅）とすることで、表示灯１１にて動作モードを表示可能としてある。
【００３７】
上述した構成のアドレス設定手段１９は、アドレス設定モードにおいて、選択スイッチ（スイッチ２）が押操作される度に表示器１２に表示するアドレスを順次切り替え、決定スイッチ（モード切替スイッチ１３）が押操作されると表示器１２に表示中のアドレスをアドレスメモリに記憶する。ここで、スイッチ装置１の各スイッチ２にはアドレスとしてアドレスは１〜４８の番号が割り振られるから、アドレス設定モードにおいてはスイッチ２が押操作される度に、表示器１２には１、２、３、…、４８の数字が順次表示されることとなる。さらに、本実施形態では、１〜４８の番号の他に、遠隔監視制御システム内の全てのリレーＲｙを一括してオフする一括オフ、および一括してオンする一括オンのパターン制御を行うためのアドレスをスイッチ２に割り当てることができるので、アドレス設定モードでのスイッチ２の押操作によって一括オフのアドレスである「ＯＦ」、一括オンのアドレスである「ｏｎ」も選択できるようにしてある。
【００３８】
具体的には、アドレス設定モードにおいて表示器１２に「４８」が表示されているときスイッチ２を１度押操作すれば一括オンのアドレスである「ｏｎ」が表示器１２に表示され、さらにスイッチ２を押操作すれば一括オフのアドレスである「ＯＦ」が表示器１２に表示される。また、アドレス設定モードにおいて表示器１２に「ＯＦ」が表示されているときにスイッチ２を１度押操作すればアドレスが設定されていない（つまり未設定である）ことを示す「−−」が表示器１２に表示され、さらにスイッチ２を押操作すれば表示器１２の表示が「１」に戻る。
【００３９】
ここにおいて、アドレス設定手段１９は、アドレス設定モードにおいて選択スイッチ（スイッチ２）が所定の長押時間に亘り継続して押操作（つまり長押し）されると、表示器１２に表示するアドレスを早送りで順次切り替える早送機能を有している。アドレスの早送りはスイッチ２が長押時間を越えて押操作されると、スイッチ２の押操作が継続する限り継続する。これにより、本実施形態のように選択可能なアドレス数が多い場合であって後半のアドレスを設定するときに、早送機能を利用することで目的のアドレスを表示器１２に表示させるまでに要する時間を短縮することができ、結果的にアドレス設定の作業効率が向上する。しかも、早送機能を利用するための操作を、アドレス設定モードでのスイッチ２の長押しにより行うことができるので、早送機能のためにスイッチ２と別に専用スイッチを設ける場合に比べて、スイッチ装置１の構成要素を少なくすることができる。なお、本実施形態では長押時間を一例として３秒に設定してある。
【００４０】
そして、所望のアドレス（あるいは未設定であることを示す「−−」）を表示器１２に表示された状態で、モード切替スイッチ１３を押操作すれば、表示器１２に表示中のアドレスが表示器１２に対応するスイッチ２のアドレスとしてアドレスメモリに記憶されるとともに、動作モードが通常モードに切り替わる。通常モードにおいては、スイッチ２に選択スイッチとしての機能はないので、スイッチ２を操作してもアドレスが変更されることはない。本実施形態では、通常モードにおいても、各スイッチ２のアドレスをそれぞれ対応する表示器１２に表示するようにしているが、アドレス設定モードでのみアドレスを表示器１２に表示するようにしてもよい。なお、図１ではいずれのスイッチ２についてもアドレスが未設定の状態（表示器１２の表示が「−−」の状態）を表している。
【００４１】
また、アドレス設定手段１９は、アドレス設定モードにおいて、スイッチ２が操作されない期間が所定の無操作時間に亘り継続すると、モード切替スイッチ１３が押操作されなくても、動作モードを通常モードに自動的に切り替えるモード復帰機能を有している。これにより、たとえばアドレスの設定作業中に緊急の事情で作業者がその場を離れ、スイッチ装置１がアドレス設定モードのまま放置されることがあっても、無操作時間後には自動的に通常モードに復帰するので、作業者以外の者がアドレス設定モードであることを知らずにスイッチ装置１を操作することによってアドレスが誤って変更されてしまう可能性を低減することができる。ここで、モード復帰機能によって通常モードに復帰した場合には、決定スイッチ（モード切替スイッチ１３）は操作されていないから、表示器１２に表示されている設定途中のアドレスがアドレスメモリに記憶されることもなく、したがって、スイッチ２のアドレスが設定途中のアドレスに誤って更新されることはない。そのため、スイッチ装置１がアドレス設定モードで放置されている状態で、負荷Ｌ１〜Ｌ８を制御する目的でスイッチ２が操作され表示器１２に表示中のアドレスが切り替わったとしても、このアドレスが誤ってアドレスメモリに設定されてしまうことを回避することができる。なお、モード復帰機能により通常モードに復帰した場合、アドレスメモリ内のアドレスは更新されることはないので、動作モードをアドレス設定モードに切り替える前のアドレスが継続して適用され、表示器１２にもこのアドレスが表示されることになる。
【００４２】
以下に、本実施形態のスイッチ装置１においてスイッチ２ごとのアドレスを設定する方法について図３を参照して説明する。ここでは、上下方向に３つ並んだスイッチ２のアドレスが全て未設定の状態から、上段のスイッチ２のアドレスを「１５」、中段のスイッチ２のアドレスを「３０」、下段のスイッチ２のアドレスを「ＯＦ」（一括オフ）に設定する例を示す。
【００４３】
スイッチ装置１が通常モードにあるときに、モード切替スイッチ１３を１度押操作することによって動作モードをアドレス設定モードに移行させる。これにより、表示灯１１は赤色点滅になる。このとき、全てのスイッチ２のアドレスは未設定であるから、図３（ａ）に示すように全ての表示器１２に「−−」が表示されることになる。もし、この状態でスイッチ２が操作されずに予め設定されている無操作時間（たとえば１０分）が経過すれば、モード復帰機能により動作モードは自動的に通常モードに移行する。
【００４４】
一方、アドレス設定モードでスイッチ２を押操作すれば表示器１２に表示されるアドレスは順次切り替わるので、各スイッチ２の押操作によって図３（ｂ）に示すように上段の表示器１２に「１５」、中段の表示器１２に「３０」、下段の表示器１２に「ＯＦ」をそれぞれ表示させる。その後、もしスイッチ２が操作されずに無操作時間が経過すれば、モード復帰機能により動作モードが自動的に通常モードに移行するので、表示器１２の表示もアドレス設定モードに移行する前の「−−」に戻ることになる。
【００４５】
一方、図３（ｂ）の状態でモード切替スイッチ１３を１度押操作すれば、動作モードが通常モードに移行し、表示灯１１が赤色点滅から赤色点灯、あるいは緑色点灯に移行する。このとき、各表示器１２に表示中のアドレスがそれぞれ対応するスイッチ２のアドレスとしてアドレスメモリに記憶されるので、通常モードに移行しても図３（ｃ）に示すように各表示器１２には「１５」、「３０」、「ＯＦ」がそれぞれ継続して表示される。
【００４６】
以上説明した本実施形態のスイッチ装置１によれば、アドレス設定手段１９は、アドレス設定モードにおいて選択スイッチ（スイッチ２）が操作される度に表示器１２に表示するアドレスを順次切り替え、決定スイッチ（モード切替スイッチ１３）が操作されると表示器１２に表示中のアドレスをアドレスメモリに記憶するので、専用のアドレス設定器を用いることなくアドレスを設定することができる。また、表示器１２に順次表示されるアドレスから所望のアドレスを選択するので、選択可能なアドレス数が増えてもアドレス設定手段１９の構成要素を増やすことなく任意のアドレスを設定可能である。したがって、複数のスイッチ２をハウジング３に備える場合でも、スイッチ２ごとに任意のアドレスを設定することが可能である。さらに、スイッチ２を選択スイッチに兼用しているので、スイッチ２と別に選択スイッチを設ける場合に比べて、スイッチ装置１の構成要素を少なくすることができる。
【００４７】
ところで、本発明は、上述したようにスイッチ２を３つ備えた３回路用のスイッチ装置１に限らず、たとえば図４（ａ）に示すようにスイッチ２を１つ備えた１回路用や、図４（ｂ）に示すようにスイッチ２を２つ備えた２回路用や、図４（ｃ）に示すようにスイッチ２を４つ備えた４回路用など、様々な回路数のスイッチ２を備えたスイッチ装置１に適用することができる。いずれの構成でも、表示器１２はスイッチ２ごとに設けられるものの、スイッチ２が選択スイッチとして兼用されるので、アドレス設定手段１９を設けたことによるスイッチ装置１の構成要素の増加を少なく抑えることができる。
【００４８】
次に、本実施形態のスイッチ装置１を監視端末器として用いた図２の遠隔監視制御システムの具体的な使用例について説明する。ここでは、図２に示すようにレジカウンター２３を設置した店舗スペース２４、廊下２５、事務所２６、倉庫２７を備えた建造物に、遠隔監視制御システムを使用する例を示す。
【００４９】
８台のリレーＲｙが設けられた親器２１は分電盤２８内に収納される。各リレーＲｙはそれぞれ負荷Ｌ１〜Ｌ８と商用電源との間に介在する接点を有しており、リレーＲｙがオンの状態で負荷Ｌ１〜Ｌ８への通電が行われる。親器２１のリレーＲｙに設定されるアドレスは１〜８に固定されている。本体ユニット２２に装着されるリレーＲｙは上下方向に１列に連接されており、最上段のリレーＲｙのアドレスを「１」とし、最上段からＮ番目のリレーＲｙのアドレスをＮ（Ｎ＝１、２、３、…、８）としている。ここで、アドレスが「１」のリレーＲｙには事務所２６の照明Ｌ１、アドレスが「２」のリレーＲｙには倉庫２７の照明Ｌ２、アドレスが「３」のリレーＲｙには廊下２５の照明Ｌ３、アドレスが「４」のリレーＲｙには店舗スペース２４の照明Ｌ４、アドレスが「５」のリレーＲｙには事務所２６の換気扇Ｌ５、アドレスが「６」のリレーＲｙには倉庫２７の換気扇Ｌ６、アドレスが「７」のリレーＲｙには廊下２５の換気扇Ｌ７、アドレスが「８」のリレーＲｙには店舗スペース２４の換気扇Ｌ８がそれぞれ負荷として接続されている。
【００５０】
スイッチ装置１は、店舗スペース２４における廊下２５への出入口２４ａ横の壁と、倉庫２７における廊下２５への出入口２７ａ横の壁と、事務所２６における倉庫２７への出入口２６ａ横の壁と、廊下２５における建造物外への通用口２５ａ横の壁とにそれぞれ設けられている。ここで、廊下２５に設けられたスイッチ装置１は１回路用であって、その他のスイッチ装置１は２回路用である。
【００５１】
ここにおいて、店舗スペース２４に設けられたスイッチ装置１の各スイッチ２にはそれぞれ「４」、「８」のアドレスを割り当て、倉庫２７に設けられたスイッチ装置１の各スイッチ２にはそれぞれ「２」、「６」のアドレスを割り当て、事務所２６に設けられたスイッチ装置１の各スイッチ２にはそれぞれ「１」、「５」のアドレスを割り当ててある。また、廊下２５に設けられたスイッチ装置１のスイッチ２には、遠隔監視制御システム内の全てのリレーＲｙを一括してオフする一括オフのアドレス「ＯＦ」を設定してある。なお、スイッチ装置１のスイッチ２ごとにアドレスを設定する方法は上述した通りである。
【００５２】
このようにアドレスを設定することにより、店舗スペース２４のスイッチ装置１の各スイッチ２によって店舗スペース２４の照明Ｌ４および換気扇Ｌ８、倉庫２７のスイッチ装置１の各スイッチ２によって倉庫２７の照明Ｌ２および換気扇Ｌ６、事務所２６のスイッチ装置１の各スイッチ２によって事務所２６の照明Ｌ１、換気扇Ｌ５をそれぞれオンオフ操作することができる。さらに、廊下２５のスイッチ装置１のスイッチ２によって建造物内の全ての照明Ｌ１〜Ｌ４および換気扇Ｌ５〜Ｌ８を一括してオフすることができる。
【００５３】
なお、本発明のスイッチ装置１において設定可能なアドレスは、上記実施形態で説明したアドレス（１〜４８、ｏｎ、ＯＦ）に限るものではなく、スイッチ装置１が使用される遠隔監視制御システムの形態に応じて任意に設計されるものであり、たとえば背景技術の欄で説明したように端末アドレスの後に操作番号を付加したものをスイッチ２のアドレスとして設定可能としてもよい。
【図面の簡単な説明】
【００５４】
【図１】本実施形態のスイッチ装置を示す概略正面図である。
【図２】同上のスイッチ装置を用いる遠隔監視制御システムの概略構成図である。
【図３】同上のスイッチ装置におけるアドレスの設定方法を示す概略図である。
【図４】同上のスイッチ装置の他の例を示す概略正面図である。
【符号の説明】
【００５５】
１  スイッチ装置
２  スイッチ（選択スイッチ）
３  ハウジング
１２  表示器
１３  モード切替スイッチ（決定スイッチ）
１９  アドレス設定手段
２１  親器（伝送ユニット、制御端末器）
Ｌ１〜Ｌ８  負荷
【図１】
2008271437.tif 000003
【図２】
2008271437.tif 000004
【図３】
2008271437.tif 000005
【図４】
2008271437.tif 000006